(57)【要約】【課題】循環流の主翼への衝突を抑制して乱流騒音の発生を抑制することが可能な送風装置を提供する。【解決手段】ファンモータと、ファンモータの回転軸に取付けられる遠心ファン２４と、遠心ファン２４の端部に近接配置されるオリフィス２０とを備え、遠心ファン２４が、主板と、シュラウド２４ｂと、主翼２４ｃとを有し、シュラウド２４ｂの筒状下端部２４ｄと、シュラウド２４ｂの筒状下端部２４ｄに挿入されるオリフィス２０の筒状上端部２０ｄとで形成される環状の隙間２９が、周方向の角度範囲β１で遠心ファン２４の反回転方向に向かうにつれて次第に大きくなるように、シュラウド２４ｂの筒状下端部２４ｄの内周面２４ｇに凹部２４ｈが形成されている。【選択図】図４
2017160864.tif 000002
【特許請求の範囲】
【請求項１】
ファンモータと、前記ファンモータの回転軸に取付けられる遠心ファンと、前記遠心ファンの端部に近接配置される略中空円錐台形状のオリフィスとを備え、前記遠心ファンが、前記ファンモータの回転軸に連結されて前記ファンモータを格納するための一端が開口した略中空円継台形状を有する主板と、前記主板に対向配置される略中空円継台形状のシュラウドと、前記主板及び前記シュラウドのそれぞれの間に配置される複数枚の主翼とを有し、
前記シュラウドの端部と、前記シュラウドの端部に挿入される前記オリフィスの端部とで形成される環状の隙間が、周方向の所定角度範囲で前記遠心ファンの反回転方向に向かうにつれて次第に大きくなるように、前記シュラウドの端部の内周面に凹部が形成されていることを特徴とする送風装置。
【請求項２】
前記凹部は、前記シュラウドの端部の内周面に複数設けられることを特徴とする請求項１に記載の送風装置。
【請求項３】
前記凹部は、前記遠心ファンの反回転方向に向かうにつれて次第に深くなる底面と、前記底面における前記遠心ファンの反回転方向の端部から前記遠心ファンの中心側へ向かうように延びる端面とを備えることを特徴とする請求項１又は２に記載の送風装置。
【請求項４】
前記底面は、前記オリフィスから遠ざかる方向へ凸となるように湾曲していることを特徴とする請求項１乃至３のいずれか一項に記載の送風装置。
【請求項５】
前記隙間を前記ファンモータの回転軸方向から見たときに、前記凹部は、隣り合う前記主翼の間に設けられていることを特徴とする請求項１乃至４のいずれか一項に記載の送風装置。
【発明の詳細な説明】
【技術分野】
【０００１】
本発明は、送風装置に関する。
【背景技術】
【０００２】
従来、例えば、天井埋込型室内ユニット等に搭載される送風装置として、ファンモータ、主板・シュラウド及び複数の主翼で構成される遠心ファンと、オリフィスとから構成されるものが知られている（例えば、特許文献１参照）。
【先行技術文献】
【特許文献】
【０００３】
【特許文献１】特開２００２−３４９４８８号公報
【発明の概要】
【発明が解決しようとする課題】
【０００４】
特許文献１では、ファンモータで遠心ファンを回転させると、オリフィスの大径とされた開口部から吸い込まれた空気は、オリフィスの中空部を通過した後に、シュラウドの小径とされた開口部から更に吸い込まれ、遠心ファンの主板とシュラウドとの間の通路を通過し、この後、遠心ファンの遠心方向に送風される。しかし、遠心ファンから吹き出された一部の空気は、シュラウドの端部と、このシュラウドの端部の内側に挿入されたオリフィスの端部との間の環状の隙間を通過し、循環流として遠心ファンに再流入する。このとき、循環流が遠心ファンの主翼と衝突することによって、乱流騒音が発生する課題を有していた。
本発明は、従来の課題を解決するもので、循環流の主翼への衝突を抑制して乱流騒音の発生を抑制することが可能な送風装置を提供することを目的とする。
【課題を解決するための手段】
【０００５】
前記従来の課題を解決するために、本発明の送風装置は、ファンモータと、前記ファンモータの回転軸に取付けられる遠心ファンと、前記遠心ファンの端部に近接配置される略中空円錐台形状のオリフィスとを備え、前記遠心ファンが、前記ファンモータの回転軸に連結されて前記ファンモータを格納するための一端が開口した略中空円継台形状を有する主板と、前記主板に対向配置される略中空円継台形状のシュラウドと、前記主板及び前記シュラウドのそれぞれの間に配置される複数枚の主翼とを有し、前記シュラウドの端部と、前記シュラウドの端部に挿入される前記オリフィスの端部とで形成される環状の隙間が、周方向の所定角度範囲で前記遠心ファンの反回転方向に向かうにつれて次第に大きくなるように、前記シュラウドの端部の内周面に凹部が形成されていることを特徴としたものである。
これによって、凹部を通過する循環流の流量が増加し、循環流の流速が遅くなるため、循環流の主翼への衝突が抑制されて、乱流騒音の発生が抑制される。
【０００６】
また、本発明の送風装置は、前記凹部は、前記シュラウドの端部の内周面に複数設けられることを特徴としたものである。
これによって、複数の凹部により循環流の流量がより一層増加し、凹部を通過する循環流の流速が遅くなり、循環流の主翼への衝突が抑制されて、乱流騒音の発生がより一層抑制される。
【０００７】
また、本発明の送風装置は、前記凹部は、前記遠心ファンの反回転方向に向かうにつれて次第に深くなる底面と、前記底面における前記遠心ファンの反回転方向の端部から前記遠心ファンの中心側へ向かうように延びる端面とを備えることを特徴としたものである。
これによって、底面における遠心ファンの反回転方向の端部から遠心ファンの中心側へ向かうように端面を延ばすことで、凹部内の循環流が凹部外へ流出しにくくなり、凹部を流れる循環流が確保されて、乱流騒音の発生が抑制される。
【０００８】
また、本発明の送風装置は、前記底面は、前記オリフィスから遠ざかる方向へ凸となるように湾曲していることを特徴としたものである。
これによって、循環流がスムーズに流れるようになる。
また、本発明の送風装置は、前記隙間を前記ファンモータの回転軸方向から見たときに、前記凹部は、隣り合う前記主翼の間に設けられていることを特徴としたものである。
これによって、循環流が主翼に衝突するのがより抑制され、乱流騒音の発生がより一層抑制される。
【発明の効果】
【０００９】
本発明の送風装置は、シュラウドの端部の内周面に凹部を形成することで、凹部を通過する循環流の流量を増加させるとともに循環流の流速を遅くすることができ、循環流の主翼への衝突を抑制して、乱流騒音の発生を抑制することができる。
【図面の簡単な説明】
【００１０】
【図１】本発明の実施の形態１における送風装置を備える天井埋込型室内ユニットの内部構造を示す断面図
【図２】送風装置を示す分解斜視図
【図３】送風装置を示す断面図
【図４】図１のＩＶ−ＩＶ線断面図
【図５】本発明の実施の形態２におけるオリフィスとシュラウドとの隙間を示す断面図
【発明を実施するための形態】
【００１１】
第１の発明は、ファンモータと、前記ファンモータの回転軸に取付けられる遠心ファンと、前記遠心ファンの端部に近接配置される略中空円錐台形状のオリフィスとを備え、前記遠心ファンが、前記ファンモータの回転軸に連結されて前記ファンモータを格納するための一端が開口した略中空円継台形状を有する主板と、前記主板に対向配置される略中空円継台形状のシュラウドと、前記主板及び前記シュラウドのそれぞれの間に配置される複数枚の主翼とを有し、前記シュラウドの端部と、前記シュラウドの端部に挿入される前記オリフィスの端部とで形成される環状の隙間が、周方向の所定角度範囲で前記遠心ファンの反回転方向に向かうにつれて次第に大きくなるように前記シュラウドの端部の内周面に凹部が形成されていることにより、凹部を設けることで、凹部を通過する循環流の流量が増加するとともに循環流の流速が遅くなり、循環流の主翼への衝突が抑制されて、乱流騒音の発生を抑制することができる。
【００１２】
第２の発明は、前記凹部は、前記シュラウドの端部の内周面に複数設けられることにより、複数の凹部によって循環流の流量がより一層増加し、凹部を通過する循環流の流速が遅くなり、循環流の主翼への衝突が抑制されて、乱流騒音をより一層抑制することができる。
【００１３】
第３の発明は、前記凹部は、前記遠心ファンの反回転方向に向かうにつれて次第に深くなる底面と、前記底面における前記遠心ファンの反回転方向の端部から前記遠心ファンの中心側へ向かうように延びる端面とを備えることにより、底面における遠心ファンの反回転方向の端部から遠心ファンの中心側へ向かうように端面を延ばすことで、凹部内の循環流が凹部外へ流出しにくくなり、凹部を流れる循環流が確保されて、乱流騒音の発生を抑制することができる。
【００１４】
第４の発明は、前記底面は、前記オリフィスから遠ざかる方向へ凸となるように湾曲していることにより、循環流をスムーズに流れるようにすることができる。
【００１５】
第５の発明は、前記隙間を前記ファンモータの回転軸方向から見たときに、前記凹部は、隣り合う前記主翼の間に設けられていることにより、循環流が主翼に衝突するのがより抑制されて、乱流騒音の発生をより一層抑制することができる。
【００１６】
以下、本発明の各実施の形態を、図面を参照して説明する。
（実施の形態１）
図１は、本発明の実施の形態１における送風装置２０Ｗを備える天井埋込型室内ユニット１０の内部構造を示す断面図である。
なお、以下の説明において、上下、内外とは、天井に設置された天井埋込型室内ユニット１０を基準として説明している。また、空調後の空気が吹き出される空間を被調和室としている。
【００１７】
天井埋込型室内ユニット１０は、室外機と共に空気調和装置を構成し、建屋の天井１１と天井１１の下方に設置された天井板１２との間の天井空間１３に設置される。天井埋込型室内ユニット１０は、室内ユニット本体１４と、室内ユニット本体１４の下側開口を覆う化粧パネル３０とを備える。
室内ユニット本体１４は、下面の略全面が開口した略箱型の筐体１５を備える。室内ユニット本体１４は、筐体１５の内部に、発泡スチロール製の断熱部材１６と、室内熱交換器１７と、送風機１８と、室内熱交換器１７のドレン水を受けるドレンパン１９と、送風機１８に吸い込まれる空気を整流するオリフィス２０とを備える。上記の送風機１８及びオリフィス２０は、送風装置２０Ｗを構成する。
【００１８】
筐体１５の外側面の角部には、吊り用金具２１が取付けられている。室内ユニット本体１４は、天井１１から垂れ下がる吊りボルト２２に吊り用金具２１が連結されることで、天井１１から吊り下げられた状態で設置される。
筐体１５は、天井埋込型室内ユニット１０の側部外郭を構成する側板１５ａと、側板１５ａの上端部に設けられた天板１５ｂとからなる。断熱部材１６は、筐体１５の内面に沿うように箱形に形成され、側板１５ａの内側に設けられて室内熱交換器１７の外側方を囲むように配置された周壁１６ａと、周壁１６ａの上端の開口を塞ぐとともに天板１５ｂに沿うように設けられた天井壁１６ｂとからなる。断熱部材１６は、筐体１５における結露の発生を防止する。
【００１９】
送風機１８は、ファンモータ２３と、遠心ファン２４とから構成される。ファンモータ２３は、下方に延びる回転軸２３ａを備え、遠心ファン２４は、回転軸２３ａに固定されている。ファンモータ２３は、平面視で、天井埋込型室内ユニット１０の略中央に配置され、筐体１５の天板１５ｂに固定されている。
遠心ファン２４は、回転軸２３ａに固定される略中空円錐台形状を有する主板２４ａと、主板２４ａの下方で主板２４ａと同軸に配置される環状で略中空円錐台形状のシュラウド２４ｂと、シュラウド２４ｂ及び主板２４ａのそれぞれを連結する複数枚の主翼２４ｃとを一体に備える。主翼２４ｃは、主板２４ａの周方向に互いに間隔を空けて複数配置されている。
【００２０】
ドレンパン１９は、室内熱交換器１７で発生するドレン水を受けることができるように、室内熱交換器１７の下方に配置されている。ドレンパン１９は、筐体１５の下面の開口の略全体を塞ぐように略矩形の板状に形成されている。ドレンパン１９は、化粧パネル３０に形成されたパネル側吹出口３４に上下に重なる位置に、被調和室へ吹き出される空気が通るドレンパン側吹出口２６を備える。ドレンパン側吹出口２６は、平面視で筐体１５の側板１５ａに沿って延びる長方形状に形成されている。
更に、ドレンパン１９は、室内熱交換器１７の下端部が載置されて収容される凹状の熱交換器収容部２７を備える。熱交換器収容部２７は、ドレンパン側吹出口２６と、このドレンパン側吹出口２６の内側に形成されたドレンパン側吸込み口２５との間に形成され、ドレンパン１９の外周部に沿って一周する水路状に形成されている。
オリフィス２０は、内部に空気が通る筒状に形成されている。オリフィス２０は、ドレンパン１９よりも強度が高い樹脂で形成され、ドレンパン１９に支持されている。オリフィス２０の上端の筒状上端部２０ｄは、遠心ファン２４のシュラウド２４ｂの下端の筒状下端部２４ｄ内に挿入されている。
【００２１】
筐体１５の内側には、室内熱交換器１７、ドレンパン１９及びオリフィス２０で囲まれて送風機１８が収納される送風機室４３が形成されている。また、室内熱交換器１７の外側面と断熱部材１６の周壁１６ａ側との間には、室内熱交換器１７で熱交換された後の空気が通る送風路４４が形成されている。
化粧パネル３０は、室内ユニット本体１４の下面の開口を覆うように平面視で略四角形の板状に形成されている。
化粧パネル３０の中央部分には、オリフィス２０に連通するパネル側吸い込み口３１が形成されている。化粧パネル３０には、パネル側吸い込み口３１を覆う吸い込みグリル３２が着脱可能に取り付けられている。吸い込みグリル３２の室内ユニット本体１４側には、空気中の塵などを除去するためのフィルタ３３が設けられている。
【００２２】
化粧パネル３０のパネル側吸い込み口３１の外側であって化粧パネル３０の外周部の各辺に沿った位置には、空調後の空気を被調和室に送るパネル側吹出口３４がそれぞれ形成されている。すなわち、パネル側吹出口３４は、平面視で略四角形の化粧パネル３０の各辺に沿うように設けられ、パネル側吹出口３４から４方向に空気が吹き出される。
パネル側吹出口３４には、吹出方向を調整可能なフラップ（不図示）がそれぞれ設けられている。
【００２３】
天井埋込型室内ユニット１０が運転されると、送風機１８の回転によって、被調和室の空気がパネル側吸い込み口３１からオリフィス２０を経て送風機室４３に吸い込まれる。次いで、送風機室４３の空気は、送風機１８によって外側に送風され、室内熱交換器１７を通過する際に熱交換されて送風路４４に流れ、パネル側吹出口３４から被調和室に吹き出される。ドレンパン側吹出口２６は、送風路４４の一部を構成している。
【００２４】
図２は、送風装置２０Ｗを示す分解斜視図である。
送風装置２０Ｗは、ファンモータ２３、遠心ファン２４及びオリフィス２０から構成される。
ファンモータ２３は、モータ本体２３ｂと、モータ本体２３ｂに回転可能に支持されて下方に延びる回転軸２３ａとを備える。
ファンモータ２３の回転軸２３ａには、遠心ファン２４の主板２４ａが取付けられる。遠心ファン２４の主板２４ａとシュラウド２４ｂとの間には複数枚の主翼２４ｃが配置されている。シュラウド２４ｂは、その筒状の上端部に大径開口部２４ｅが設けられ、シュラウド２４ｂの筒状下端部２４ｄには、大径開口部２４ｅよりも内径が小さい小径開口部２４ｆが形成されている。
オリフィス２０の筒状上端部２０ｄの外径は、シュラウド２４ｂの小径開口部２４ｆの内径よりも小さい。オリフィス２０の筒状上端部２０ｄには、小径開口部２０ｆが形成され、オリフィス２０の筒状の下端部には、小径開口部２０ｆよりも内径が大きい大径開口部２０ｅが形成されている。オリフィス２０の筒状上端部２０ｄは、シュラウド２４ｂの小径開口部２４ｆ内に挿入される。
【００２５】
図３は、送風装置２０Ｗを示す断面図である。
遠心ファン２４の主板２４ａは、ファンモータ２３の回転軸２３ａに連結されるとともにファンモータ２３を格納する一端が開口した中空円錐台部２４ｓと、中空円錐台部２４ｓから半径方向外側に延びる環状の円板部２４ｔとからなる。
シュラウド２４ｂは、主板２４ａに対向配置されるとともに上端部よりも下端部が小径にされた筒状の略中空円錐台形状に形成されている。
オリフィス２０の筒状上端部２０ｄは、シュラウド２４ｂの筒状下端部２４ｄの半径方向内側に隙間２９を介して配置されている。
【００２６】
以上に述べた送風機１８及びオリフィス２０の作用を説明する。
ファンモータ２３を作動させ、遠心ファン２４を所定の回転方向に回転させると、オリフィス２０の大径開口部２０ｅから吸い込まれた空気は、矢印Ａで示すように、オリフィス２０の中空部を通過し、そして、遠心ファン２４のシュラウド２４ｂの小径開口部２４ｆ側から吸い込まれる。遠心ファン２４の縦断面で見たときに、空気の流れが、主板２４ａとシュラウド２４ｂとで形成される流体流路で鉛直方向から水平方向に曲げられるとともに、空気は、複数枚の主翼２４ｃによって昇圧されて遠心方向に送られる。
【００２７】
また、遠心ファン２４から吹き出された一部の空気は、矢印Ｂで示すように、水平方向の旋回成分を伴いながらオリフィス２０の筒状上端部２０ｄとシュラウド２４ｂの筒状下端部２４ｄとの隙間２９を通過する。この隙間２９を通過する空気の流れを、以下、循環流３６と呼ぶ。循環流３６は、隙間２９を通過した後、遠心ファン２４によって再度遠心方向に送られる。
【００２８】
図４は、図１のＩＶ−ＩＶ線断面図である。
オリフィス２０の筒状上端部２０ｄの半径方向外側を囲むように、遠心ファン２４のシュラウド２４ｂの筒状下端部２４ｄが配置されている。なお、白抜き矢印は遠心ファン２４の回転方向（ここでは、反時計回り）を示している。
シュラウド２４ｂ（詳しくは、筒状下端部２４ｄ）の内周面２４ｇには、遠心ファン２４の反回転方向に向かうにつれて次第に深くなる複数の凹部２４ｈが周方向に等間隔で形成されている。凹部２４ｈは、内周面２４ｇの周方向の角度範囲β１に形成され、各凹部２４ｈは、遠心ファン２４の回転軸方向から見たときに、隣り合う主翼２４ｃ，２４ｃ間に配置されるように形成されている。
【００２９】
主翼２４ｃは、遠心ファン２４の回転方向の前端となる一端部２４ｃ１が、遠心ファン２４の回転方向の後端となる他端部２４ｃ２よりも半径方向内側に位置する。また、主翼２４ｃは、半径方向外側に凸となるように湾曲しながら延びている。主翼２４ｃの一端部２４ｃ１は、オリフィス２０の筒状上端部２０ｄよりも半径方向内側に突出するように配置されている。遠心ファン２４の回転軸方向（図１に示したファンモータ２３の回転軸２３ａの延びる方向）から見たときに、凹部２４ｈは、主翼２４ｃと重ならない位置に形成される。
【００３０】
凹部２４ｈは、オリフィス２０の筒状上端部２０ｄから離れる側に凸となる湾曲面として形成された底面２４ｊと、底面２４ｊにおける遠心ファン２４の反回転方向の縁部２４ｋ（黒丸で示す部分である。）から遠心ファン２４の中心側に向かって延びる端面２４ｍとを備える。底面２４ｊにおける遠心ファン２４の回転方向の縁部２４ｐと、端面２４ｍにおける遠心ファン２４の中心側の縁部２４ｑ（黒丸で示す部分である。）との周方向の角度範囲が、上記したβ１である。
シュラウド２４ｂの内周面２４ｇにおいて、凹部２４ｈ以外の部分は、円筒（筒状下端部２４ｄ）の内面の一部を形成する円筒面２４ｎである。
【００３１】
底面２４ｊの縁部２４ｋにおける接線３７と、底面２４ｊとのなす角度はθであり、θ＝７０°〜１１０°、好ましくは、８５°〜９５°である。底面２４ｊは、遠心ファン２４の反回転方向に向かうにつれて円筒面２４ｎに対して次第に深くなるように形成されている。
凹部２４ｈの下端は、シュラウド２４ｂの下端面２４ｒ（図３参照）であり、凹部２４ｈの上端は、底面２４ｊ及び端面２４ｍが、上方に向かうにつれて次第に拡径するシュラウド２４ｂの内周面２４ｇと交差する部分である。
オリフィス２０の筒状上端部２０ｄとシュラウド２４ｂの凹部２４ｈとの隙間は、オリフィス２０の筒状上端部２０ｄとシュラウド２４ｂの円筒面２４ｎとの隙間よりも拡大された拡大隙間３８を形成している。
なお、底面２４ｊは、湾曲面に限らず、遠心ファン２４の反回転方向に向かうにつれて円筒面２４ｎに対して次第に深くなるように傾斜した平面であっても良い。
【００３２】
上記したように、シュラウド２４ｂに凹部２４ｈを形成して、オリフィス２０の筒状上端部２０ｄとシュラウド２４ｂの筒状下端部２４ｄとの隙間２９に拡大隙間３８を設けることで、拡大隙間３８を流れる循環流３６（図３参照）の流量を、凹部２４ｈを設けない場合に比べて増やすことができるため、主翼２４ｃに当る循環流３６の流量を少なくすることができる。これにより、循環流３６が主翼２４ｃに当って生じる乱流騒音の発生を抑制することができる。
また、凹部２４ｈが、隣り合う主翼２４ｃ，２４ｃの間に配置されるので、循環流３６を主翼２４ｃに当りにくくすることができ、乱流騒音の発生をより一層抑制することができる。
【００３３】
また、凹部２４ｈの底面２４ｊをオリフィス２０の筒状上端部２０ｄから離れる側に凸となる湾曲面に形成することで、旋回流を伴う循環流３６を凹部２４ｈ内でスムーズに流すことができ、凹部２４ｈ内の循環流３６の流量を増やすことができる。また、凹部２４ｈの底面２４ｊの循環流下流端から延ばした接線３７に対して端面２４ｍを直角に近い角度に立ち上げることで、凹部２４ｈ内に流入した循環流３６が凹部２４ｈ外に流出するのを抑制することができ、凹部２４ｈ内の循環流３６の流量を確保することができる。
【００３４】
以上の図４に示したように、隙間２９をファンモータ２３の回転軸２３ａの延びる方向から見たときに、凹部２４ｈは、隣り合う主翼２４ｃ，２４ｃの間に設けられているので、循環流３６（図３参照）が主翼２４ｃに衝突するのを抑制することができ、乱流騒音の発生をより一層抑制することができる。
【００３５】
（実施の形態２）
図５は、本発明の実施の形態２におけるオリフィス２０とシュラウド５４ｂとの隙間５６を示す断面図である。なお、図４に示した実施の形態１と同一構成については同一符号を付け、詳細説明は省略する。
送風機５１は、ファンモータ２３（図２参照）と遠心ファン５４とから構成される。送風機５１及びオリフィス２０は、送風装置５０Ｗを構成する。
オリフィス２０の筒状上端部２０ｄの半径方向外側を囲むように、遠心ファン５４のシュラウド５４ｂの筒状下端部５４ｄが配置され、オリフィス２０の筒状上端部２０ｄとシュラウド５４ｂの筒状下端部５４ｄとの間に隙間５６が形成されている。なお、白抜き矢印は遠心ファン５４の回転方向（ここでは、反時計回り）を示している。
【００３６】
シュラウド５４ｂの内周面５４ｇには、遠心ファン５４の反回転方向に向かうにつれて次第に深くなる複数の凹部５４ｈ１及び複数の凹部５４ｈ２が周方向に並ぶように形成されている。凹部５４ｈ１は、内周面５４ｇの周方向の角度範囲β２に形成され、複数の凹部５４ｈ１，５４ｈ１は、遠心ファン５４の回転軸方向（図１に示したファンモータ２３の回転軸２３ａが延びる方向）から見たときに、隣り合う主翼５４ｃ，５４ｃ間に配置されるように形成されている。また、凹部５４ｈ２は、内周面５４ｇの周方向の角度範囲β３に形成され、凹部５４ｈ２は、遠心ファン５４の回転軸方向から見たときに、主翼５４ｃと重なって配置されるように形成されている。
主翼５４ｃは、遠心ファン５４の回転方向の前端となる一端部５４ｃ１が、遠心ファン２４の回転方向の後端となる他端部（不図示）よりも半径方向内側に位置する。また、主翼５４ｃは、半径方向外側に凸となるように湾曲しながら延びている。主翼５４ｃの一端部５４ｃ１は、オリフィス２０の筒状上端部２０ｄよりも半径方向内側に突出するように配置されている。
【００３７】
凹部５４ｈ１は、オリフィス２０の筒状上端部２０ｄから離れる側に凸となる湾曲面として形成された底面５４ｊ１と、底面５４ｊ１における遠心ファン５４の反回転方向の縁部５４ｋ１から、遠心ファン５４の中心側に向かって延びる端面５４ｍ１とを備える。底面５４ｊ１及び端面５４ｍ１は、遠心ファン５４の回転軸方向に延び、端面５４ｍ１は、平面からなる。
底面５４ｊ１における遠心ファン５４の回転方向及び反回転方向の縁部５４ｐ，５４ｐ間の周方向の角度範囲が、上記したβ２である。
【００３８】
凹部５４ｈ２は、オリフィス２０の筒状上端部２０ｄから離れる側に凸となる湾曲面に形成された底面５４ｊ２と、底面５４ｊ２における遠心ファン５４の反回転方向の縁部５４ｋ２から、遠心ファン５４の中心側に向かって延びる端面５４ｍ２とを備える。底面５４ｊ２及び端面５４ｍ２は、遠心ファン５４の回転軸方向に延び、端面５４ｍ２は、平面からなる。底面５４ｊ２における遠心ファン５４の回転方向及び反回転方向の縁部５４ｐ，５４ｐ間の周方向の角度範囲が、上記したβ３である。
シュラウド５４ｂの内周面５４ｇに、凹部５４ｈ１，５４ｈ２を連続して形成したが、これに限らず、凹部５４ｈ１，５４ｈ間及び／又は凹部５４ｈ１，５４ｈ２間に、円筒（シュラウド５４ｂの筒状下端部５４ｄ）の内面の一部を形成する円筒面を設けても良い。
【００３９】
底面５４ｊ１の縁部５４ｋ１における接線５７と、端面５４ｍ１とのなす角度はα、底面５４ｊ２の縁部５４ｋ２における接線５７と、端面５４ｍ２とのなす角度はαであり、α＝７０°〜１１０°、好ましくは、８５°〜９５°である。底面５４ｊ１，５４ｊ２は、遠心ファン５４の反回転方向に向かうにつれて次第に深くなるように形成されている。
凹部５４ｈ１，５４ｈ２の下端は、シュラウド５４ｂの下端面であり、凹部５４ｈの上端は、底面５４ｊ１，５４ｊ２及び端面５４ｍ１，５４ｍ２が、上方に向かうにつれて次第に拡径するシュラウド５４ｂの内周面５４ｇと交差する部分である。
オリフィス２０の筒状上端部２０ｄとシュラウド５４ｂの凹部５４ｈ１との隙間は、オリフィス２０の筒状上端部２０ｄとシュラウド５４ｂの内端面（縁部５４ｐ）との隙間よりも拡大された拡大隙間５８を形成している。
【００４０】
また、オリフィス２０の筒状上端部２０ｄとシュラウド５４ｂの凹部５４ｈ２と隙間は、オリフィス２０の筒状上端部２０ｄとシュラウド５４ｂの内端面（縁部５４ｐ）との間の隙間よりも拡大された拡大隙間５９を形成している。
上記した凹部５４ｈ１と凹部５４ｈ２とは、ここでは、同一形状であり、識別のために符号を異ならせたが、これに限らず、凹部５４ｈ１と凹部５４ｈ２との形状（深さ、断面積、周方向の角度範囲等）を異ならせてもよい。例えば、凹部５４ｈ１を、凹部５４ｈ２よりも断面積を大きくして循環流の流量を増やしてもよい。
なお、底面５４ｊ１，５４ｊ２は、湾曲面に限らず、遠心ファン５４の反回転方向に向かうにつれて次第に深くなるように傾斜した平面であっても良い。
【００４１】
上記したように、複数の凹部５４ｈ１，５４ｈ１を隣り合う主翼５４ｃ，５４ｃ間に配置し、単一の凹部５４ｈ１を主翼５４ｃと重なるように配置することで、隙間５６の全体を通過する循環流の流量を、凹部５４ｈ１，５４ｈ２を形成しない場合に比べて増加させて主翼５４ｃに当る循環流の流速を遅くするとともに、主翼５４ｃに当る循環流を減らすことができる。これにより、乱流騒音を抑制することができる。
【００４２】
以上の図３〜図５に示したように、ファンモータ２３と、ファンモータ２３の回転軸２３ａに取付けられる遠心ファン２４，５４と、遠心ファン２４，５４の端部に近接配置される略中空円錐台形状のオリフィス２０とを備え、遠心ファン２４，５４が、ファンモータ２３の回転軸２３ａに連結されてファンモータ２３を格納するための一端が開口した略中空円継台形状を有する主板２４ａと、主板２４ａに対向配置される略中空円継台形状のシュラウド２４ｂ，５４ｂと、主板２４ａ及びシュラウド２４ｂ，５４ｂのそれぞれの間に配置される複数枚の主翼２４ｃ，５４ｃとを有し、シュラウド２４ｂ，５４ｂの端部としての筒状下端部２４ｄ，５４ｄと、シュラウド２４ｂ，５４ｂの筒状下端部２４ｄ，５４ｄに挿入されるオリフィス２０の端部としての筒状上端部２０ｄとで形成される環状の隙間２９，５６が、周方向の所定角度範囲としての角度範囲β１，β２，β３で遠心ファン２４，５４の反回転方向に向かうにつれて次第に大きくなるように、シュラウド２４ｂ，５４ｂの筒状下端部２４ｄ，５４ｄの内周面２４ｇ，５４ｇに凹部２４ｈ，５４ｈ１，５４ｈ２が形成されている。
【００４３】
この構成によれば、凹部２４ｈ，５４ｈ１，５４ｈ２を設けることで、凹部２４ｈ，５４ｈ１，５４ｈ２を通過する循環流３６の流量を増加させるとともに循環流３６の流速を遅くすることができ、循環流３６の主翼２４ｃ，５４ｃへの衝突を抑制して、乱流騒音の発生を抑制することができる。
【００４４】
また、図４及び図５に示したように、凹部２４ｈ，５４ｈ１，５４ｈ２は、シュラウド２４ｂ，５４ｂの筒状下端部２４ｄ，５４ｄの内周面２４ｇ，５４ｇに複数設けられるので、複数の凹部２４ｈ，５４ｈ１，５４ｈ２によって循環流３６（図３参照）の流量をより一層増加させることができ、凹部２４ｈ，５４ｈ１，５４ｈ２を通過する循環流の流速を遅くし、循環流３６の主翼２４ｃ，５４ｃへの衝突を抑制して乱流騒音の発生をより一層抑制することができる。
【００４５】
また、凹部２４ｈ，５４ｈ１，５４ｈ２は、遠心ファン２４，５４の反回転方向に向かうにつれて次第に深くなる底面２４ｊ，５４ｊ１，５４ｊ２と、底面２４ｊ，５４ｊ１，５４ｊ２における遠心ファン２４，５４の反回転方向の端部としての縁部２４ｋ，５４ｋ１，５４ｋ２から遠心ファン２４，５４の中心側へ向かうように延びる端面２４ｍ，５４ｍ１，５４ｍ２とを備えるので、端面２４ｍ，５４ｍ１，５４ｍ２によって、凹部２４ｈ，５４ｈ１，５４ｈ２内の循環流３６を凹部２４ｈ，５４ｈ１，５４ｈ２外へ流出しにくくすることができ、凹部２４ｈ，５４ｈ１，５４ｈ２を流れる循環流３６を確保して、乱流騒音の発生を抑制することができる。
【００４６】
また、底面２４ｊ，５４ｊ１，５４ｊ２は、オリフィス２０から遠ざかる方向へ凸となるように湾曲しているので、凹部２４ｈ，５４ｈ１，５４ｈ２内で、旋回を伴う循環流３６をスムーズに流れるようにすることができる。
【００４７】
以上、各実施の形態に基づいて本発明を説明したが、あくまでも本発明の一実施の態様を例示するものであるから、本発明の趣旨を逸脱しない範囲で任意に変更、及び応用が可能である。
【産業上の利用可能性】
【００４８】
以上のように、本発明に係る送風装置は、遠心ファンの主翼による乱流騒音の発生を抑制することが可能なので、遠心ファンを使用する車両用空調装置や、産業用の送風機等の用途にも適用できる。
【符号の説明】
【００４９】
２０  オリフィス
２０Ｗ，５０Ｗ  送風装置
２３  ファンモータ
２３ａ  回転軸
２４，５４  遠心ファン
２４ａ  主板
２４ｂ，５４ｂ  シュラウド
２４ｃ，５４ｃ  主翼
２４ｈ，５４ｈ１，５４ｈ２  凹部
２４ｊ，５４ｊ１，５４ｊ２  底面
２４ｍ，５４ｍ１，５４ｍ２  端面
２９，５６  隙間
β１，β２，β３  凹部の周方向の角度範囲（所定角度範囲）
【図１】
2017160864.tif 000003
【図２】
2017160864.tif 000004
【図３】
2017160864.tif 000005
【図４】
2017160864.tif 000006
【図５】
2017160864.tif 000007